(57)【要約】【課題】ハウジングを切り欠くことなく、スライドレバーをハウジングと干渉させずにスライドさせる。【解決手段】機器側コネクタに設けられたフード部内に嵌合するハウジングと、フード部に設けられたカムピンと係合可能なカム溝を有して、ハウジングに対して幅方向にスライド可能に支持されたスライドレバーとを備え、スライドレバーをスライドさせることにより、カムピンがカム溝と係合してカム作用によってフード部とハウジングとが嵌合するレバー式コネクタであって、スライドレバーは、カム溝が設けられたカム板を有しており、カム板は、フード部とハウジングとが嵌合する際に、フード部の嵌合開口からはみ出すことなくハウジングと共にフード部内に進入するところに特徴を有する。【選択図】図１４
2015069871.tif 000002
【特許請求の範囲】
【請求項１】
相手側ハウジング内に嵌合するハウジングと、
前記相手側ハウジングに設けられたカムピンと係合可能なカム溝を有して、前記ハウジングに対して前記ハウジングの嵌合方向と交差する方向にスライド可能に支持されたスライドレバーとを備え、
前記スライドレバーを嵌合方向と交差する方向にスライドさせることにより、前記カムピンが前記カム溝と係合して前記カム溝に沿って変位することで、前記相手側ハウジングと前記ハウジングとが嵌合するレバー式コネクタであって、
前記スライドレバーは、前記カム溝が設けられたカム板を有しており、
前記カム板は、前記相手側ハウジングと前記ハウジングとが嵌合する際に、前記相手側ハウジングにおいて前記ハウジングが進入する嵌合開口からはみ出すことなく前記相手側ハウジング内に進入するレバー式コネクタ。
【請求項２】
前記スライドレバーには、同スライドレバーをスライドさせる操作部が前記カム板の進入方向後方に設けられており、
前記操作部は、前記相手側ハウジングと前記ハウジングとが嵌合完了した際に、前記相手側ハウジングの外側に配されている請求項１記載のレバー式コネクタ。
【請求項３】
前記ハウジングには、前記操作部を操作する際に、前記相手側ハウジングに設けられた被係合部と嵌合方向と交差する方向に係合することで前記ハウジングおよび前記スライドレバーが正規の方向とは異なる不正な方向に変位することを防ぐ係合部が設けられている請求項１または請求項２記載のレバー式コネクタ。
【請求項４】
前記被係合部と前記係合部とは、前記ハウジングと前記相手側ハウジングとの嵌合初期の段階から係合可能とされている請求項３記載のレバー式コネクタ。
【請求項５】
前記カム板には、前記被係合部を避けるように切り欠いた逃がし部が設けられている請求項３または請求項４記載のレバー式コネクタ。
【請求項６】
前記ハウジングには、前記カムピンが通過する通過路が前記カム溝と連通して設けられている請求項１乃至請求項５の何れか一項に記載のレバー式コネクタ。
【請求項７】
請求項３乃至請求項６の何れか一項に記載の前記レバー式コネクタと、前記相手側ハウジングを有する相手側コネクタとを備えたレバー式コネクタ装置であって、
前記被係合部は、前記相手側ハウジング内に複数設けられ、複数の前記被係合部のうち、一の被係合部は、前記相手側ハウジングの嵌合方向前端部に設けられており、
前記カム板は、前記一の被係合部の移動経路内に進入する配置とされているレバー式コネクタ装置。
【発明の詳細な説明】
【技術分野】
【０００１】
本発明は、レバー式コネクタおよびレバー式コネクタ装置に関する。
【背景技術】
【０００２】
例えば、相手側コネクタと、相手側コネクタに嵌合可能なレバー式コネクタとを備えたレバー式コネクタ装置として、下記特許文献１に記載のものが知られている。このレバー式コネクタには、カム溝を有するスライドレバーが嵌合方向と直交する方向にスライド可能に支持されおり、スライドレバーをスライドさせることで、相手側コネクタに設けられたカムピンとカム溝とを係合させて両コネクタを嵌合もしくは離脱させる。
【先行技術文献】
【特許文献】
【０００３】
【特許文献１】特開平６−５２９２９号公報
【発明の概要】
【発明が解決しようとする課題】
【０００４】
ところで、この種のレバー式コネクタ装置は、一般に一方もしくは他方のコネクタに設けられたハウジングの側面を切り欠いて、この切り欠いた部分をスライドレバーが通過することで、スライドレバーとハウジングとが干渉することを防いでいる。
ところが、ハウジングを切り欠くと、切り欠いた部分からハウジング内に異物侵入し、ハウジング内の端子に異物が付着したり、異物が端子と接触することで端子が変形したりする虞がある。
【０００５】
本発明は上記のような事情に基づいて完成されたものであって、ハウジングを切り欠くことなく、スライドレバーをハウジングと干渉させずにスライドさせることを目的とする。
【課題を解決するための手段】
【０００６】
上記の目的を達成するための手段として本発明は、相手側ハウジング内に嵌合するハウジングと、前記相手側ハウジングに設けられたカムピンと係合可能なカム溝を有して、前記ハウジングに対して前記ハウジングの嵌合方向と交差する方向にスライド可能に支持されたスライドレバーとを備え、前記スライドレバーを嵌合方向と交差する方向にスライドさせることにより、前記カムピンが前記カム溝と係合して前記カム溝に沿って変位することで、前記相手側ハウジングと前記ハウジングとが嵌合するレバー式コネクタであって、前記スライドレバーは、前記カム溝が設けられたカム板を有しており、前記カム板は、前記相手側ハウジングと前記ハウジングとが嵌合する際に、前記相手側ハウジングにおいて前記ハウジングが進入する嵌合開口からはみ出すことなく前記相手側ハウジング内に進入するところに特徴を有する。
【０００７】
このような構成のレバー式コネクタによると、カム溝が設けられたカム板が嵌合開口からはみ出すことなく相手側ハウジング内に進入するから、相手側ハウジングを切り欠くことなく、スライドレバーを相手側ハウジングと干渉させずにスライドさせ、相手側ハウジングとハウジングとを嵌合させることができる。つまり、上記の構成によると、相手側ハウジングが切り欠かれていないから、相手側ハウジングの嵌合開口以外から異物が相手側ハウジング内に侵入することを防ぐことができると共に、相手側ハウジングの剛性を向上させることができる。
【０００８】
本発明の実施の態様として、以下の構成が好ましい。
前記スライドレバーには、同スライドレバーをスライドさせる操作部が前記カム板の進入方向後方に設けられており、前記操作部は、前記相手側ハウジングと前記ハウジングとが嵌合完了した際に、前記相手側ハウジングの外側に配されている構成としてもよい。
このような構成によると、スライドレバーにおいて、カムピンと係合するカム溝を有するカム板が相手側ハウジング内に進入し、操作部が相手側ハウジングの外側に配されるから、相手側ハウジングを切り欠くことなく、スライドレバーを相手側ハウジングと干渉させずにスライドさせることができる。
【０００９】
前記ハウジングには、前記操作部を操作する際に、前記相手側ハウジングに設けられた被係合部と嵌合方向と交差する方向に係合することで前記ハウジングおよび前記スライドレバーが正規の方向とは異なる不正な方向に変位することを防ぐ係合部が設けられている構成としてもよい。
カム溝を有するカム板がスライドレバーの前側に設けられ、操作部がスライドレバーの後側に設けられていると、スライドレバーを操作した際に、スライドレバーもしくはハウジングがカム溝とカムピンとが係合した位置を中心に回動し、相手側ハウジングとハウジングとの嵌合動作をスムーズに行えなくなることが懸念される。ところが、上記の構成によると、操作部を操作してスライドレバーをスライドさせる際に、非係合部と係合部とが嵌合方向と交差する方向に係合することにより、ハウジングやスライドレバーが不正な方向に変位することを防ぐことができる。
【００１０】
前記被係合部と前記係合部とは、前記ハウジングと前記相手側ハウジングとの嵌合初期の段階から係合可能とされている構成としてもよい。
このような構成によると、ハウジングと相手側ハウジングとの嵌合初期の段階から被係合部と係合部とが嵌合方向と交差する方向に係合可能となっているから、ハウジングやスライドレバーが不正な方向に変位することを嵌合初期の段階から確実に防ぐことができる。
【００１１】
前記カム板には、前記被係合部を避けるように切り欠いた逃がし部が設けられている構成としてもよい。
このような構成によると、相手側ハウジング内にカム板が進入した際に、カム板が被係合部と干渉することを防ぐことができる。
【００１２】
前記ハウジングには、前記カムピンが通過する通過路が前記カム溝と連通して設けられている構成としてもよい。
このような構成によると、相手側ハウジングとハウジングとが嵌合した時点から、通過路を通してカムピンを案内することができるから、ハウジングと相手側ハウジングとの嵌合操作をよりスムーズに行うことができる。
【００１３】
上記のレバー式コネクタと、前記相手側ハウジングを有する相手側コネクタとを備えたレバー式コネクタ装置であって、前記被係合部は、前記相手側ハウジング内に複数設けられ、複数の前記被係合部のうち、一の被係合部は、前記相手側ハウジングの嵌合方向前端部に設けられており、前記カム板は、前記一の被係合部の移動経路内に進入する配置とされている構成としてもよい。
例えば、被係合部とカム溝とが重ならないように並べて構成すると、相手側ハウジングが大型化してしまう。だからといって、相手側ハウジングのサイズを大きくすることなく、被係合部とカム溝とを並べて配置しようとすると、カム溝の傾斜角度が急になってしまう。
ところが、上記の構成によると、一の被係合部を相手側ハウジングの前端部にのみ設けて、一の被係合部の移動軌跡とカム溝とが重なるようにカム溝を配したから、相手側ハウジングが大型化することを防ぎつつ、カム溝の傾斜角度を緩やかに設定することができる。これにより、ハウジングと相手側ハウジングとの嵌合操作の操作力を低減することができる。
【発明の効果】
【００１４】
本発明によれば、ハウジングを切り欠くことなく、スライドレバーをハウジングと干渉させずにスライドさせることができる。
【図面の簡単な説明】
【００１５】
【図１】スライドレバーが初期位置に配された状態の電線側コネクタの斜視図
【図２】同正面図
【図３】同平面図
【図４】同側面図
【図５】同背面図
【図６】スライドレバーが嵌合位置に配された状態の電線側コネクタの斜視図
【図７】同正面図
【図８】同平面図
【図９】同背面図
【図１０】機器側コネクタの正面図
【図１１】機器側コネクタと電線側コネクタとが嵌合する前の状態を示す断面図であって、図１０におけるＡ−Ａ線の断面に相当する断面図
【図１２】機器側コネクタと電線側コネクタとが浅く嵌合した状態を示す断面図であって、図１１の断面に相当する断面図
【図１３】機器側コネクタと電線側コネクタとが嵌合してカムピンがカム溝内に進入した状態を示す断面図であって、図１１の断面に相当する断面図
【図１４】機器側コネクタと電線側コネクタとが嵌合完了した状態を示す断面図であって、図１１の断面に相当する断面図
【発明を実施するための形態】
【００１６】
＜実施形態＞
本発明の実施形態について図１乃至図１４を参照して説明する。
本実施形態は、図１１に示すように、スライドレバーを有して電線（図示せず）の端末に接続される電線側コネクタ（「レバー式コネクタ」に相当する）と、機器のケース（図示せず）に設けられ、電線側コネクタと嵌合される機器側コネクタ（「相手側コネクタ」に相当する）６０とを備えたレバー式コネクタ装置を例示している。なお、以下の説明において、上下方向とは図２および図１０における上下方向を基準とする。また、前後方向とは、図１１における両コネクタ２０，６０の嵌合方向を基準として、互いに嵌合する側を前側として説明する。
【００１７】
機器側コネクタ６０は、図１０に示すように、幅方向に横長なフード部（「相手側ハウジング」に相当する）６１を有している。フード部６１は、図１１に示すように、嵌合方向前方に向かって略矩形状に開口する嵌合開口を有しており、この嵌合開口から電線側コネクタ２０がフード部６１の内部に嵌合可能とされている。
【００１８】
フード部６１の奥壁６２には、フード部６１の内部空間に向かって突出する雄端子６９が幅方向に一対並んで設けられている。
フード部６１の上下に位置する天井壁６３および底壁６４には、図１１に示すように、フード部６１内に向かって突出する一対のカムピン６５が上下方向に対向するように形成されている。各カムピン６５は円柱状をなし、図１１乃至図１４に示すように、天井壁６３および底壁６４の幅方向略中央部で、かつフード部６１の嵌合開口縁よりもやや後方の位置に配されている。
【００１９】
また、天井壁６３および底壁６４には、前後方向に延びる一対の係合リブ（「被係合部」に相当する）６６が設けられている。
各係合リブ６６は、図１０に示すように、正面視略矩形状をなしており、カムピン６５を境に幅方向両側に位置する領域にそれぞれ配されている。一対の係合リブ６６のうちの一方の係合リブ６６は、図１１乃至図１４に示すように、フード部６１の嵌合開口縁からカムピン６５が配された深さ位置まで延びる短尺リブ（「一の被係合部」に相当する）６７とされ、他方の係合リブ６６はフード部６１の奥壁６２からカムピン６５が配された深さ位置まで延びる長尺リブ６８とされている。
【００２０】
電線側コネクタ２０は、ブロック状のハウジング２１と、ハウジング２１内に後方から収容される複数の雌端子（図示せず）と、ハウジング２１の上下方向両側面にスライド可能に支持されることにより、初期位置（図１２参照）と嵌合位置（図１４を参照）との間を変位可能なスライドレバー４０とを備えて構成されている。
【００２１】
ハウジング２１は合成樹脂製であって、図１１乃至図１４に示すように、前半分が機器側コネクタ６０のフード部６１内に嵌合される嵌合部２２とされ、後半分がスライドレバー４０を支持する支持部３０とされている。
【００２２】
嵌合部２２の前端面には、図１および図２に示すように、幅方向に横長な一対の端子挿入孔２３が形成されており、フード部６１内に嵌合部２２が嵌合されると、端子挿入孔２３から雄端子６９が進入し、雄端子６９と雌端子とが電気的に接続されるようになっている。
【００２３】
嵌合部２２の前端部は、嵌合部２２の後部に比べて上下方向に肉厚な厚肉部２４とされている。厚肉部２４は、図３および図８に示すように、平面視略矩形状をなしており、上下方向の高さ寸法がフード部６１の嵌合開口の高さ寸法よりも僅かに小さくなるように設定されている。
【００２４】
厚肉部２４の上下両側面には、図１、図２、図１１乃至図１４に示すように、カムピン６５を通過させる通過路２６がそれぞれ形成されている。通過路２６は、前後方向に真っ直ぐ延びた形態をなしており、カムピン６５よりもやや幅広な幅寸法とされている。
【００２５】
また、厚肉部２４における通過路２６の幅方向両側には、一対の係合リブ６６が嵌合する一対の係合溝（「係合部」に相当する）２７が設けられている。各係合溝２７は、前後方向に真っ直ぐ延びた形態とされており、係合溝２７の溝幅は、係合リブ６６の幅寸法よりも僅かに大きく設定されている。したがって、係合溝２７に係合リブ６６が嵌合されると、係合溝２７と係合リブ６６とは、図１２および図１３に示すように、幅方向に緊密となる。
【００２６】
一対の係合溝２７のうち短尺リブ６７が嵌合される係合溝２７は、短尺用係合溝２８とされ、短尺用係合溝２８には、フード部６１と嵌合部２２との嵌合開始直後から短尺リブ６７が嵌合する。そして、フード部６１と嵌合部２２とが半分程度嵌合してカムピン６５が通過路２６を完全に通過する直前になると短尺リブ６７が短尺用係合溝２８を完全に通過する。
【００２７】
また、一対の係合溝２７のうち長尺リブ６８が嵌合される係合溝２７は、長尺用係合溝２９とされ、長尺用係合溝２９には、フード部６１と嵌合部２２とが半分程度嵌合してカムピン６５が通過路２６に完全に進入した直後に長尺リブ６８が嵌合し始める。そして、フード部６１と嵌合部２２とが嵌合完了状態に至ると、長尺用係合溝２９と長尺リブ６８の基端部とが嵌合した状態となる。
【００２８】
つまり、フード部６１と嵌合部２２との嵌合が開始されると、まず、フード部６１と嵌合部２２との嵌合初期から短尺リブ６７と短尺用係合溝２８とが嵌合し、短尺リブ６７と短尺用係合溝２８との嵌合が解除される前に長尺リブ６８と長尺用係合溝２９とが嵌合する構成となっている。
【００２９】
支持部３０は、図１１乃至図１４に示すように、嵌合部２２の嵌合方向後方に位置しており、フード部６１と嵌合部２２とが嵌合完了状態に至った際に、フード部６１の外側（前方）に配されるようになっている。また、支持部３０の上下両側面における前後方向略中央部には、スライドレバー４０をスライド可能に支持するレバー装着部３１が上下にそれぞれ設けられている。
【００３０】
各レバー装着部３１は、図３に示すように、幅方向に直線的に延びる細長い形態であって、図４に示すように、支持部３０から上下方向に離れるようにそれぞれ突出した後、その突出端から前後方向両側に延出した庇部３２を有する形態とされている。
【００３１】
スライドレバー４０は、図５に示すように、平板状をなす一対のレバー本体４１の一側縁を上下方向に連結した形態とされており、一対のレバー本体４１により支持部３０を上下方向両側から挟み込むようにして、支持部３０の一端側からスライドレバー４０が支持部３０に装着されている。
【００３２】
一対のレバー本体４１は、上下方向に対向するように配置されており、各レバー本体４１の対向面４２には、図４に示すように、支持部３０のレバー装着部３１が嵌合される装着溝４３が幅方向に真っ直ぐ延びて形成されている。各装着溝４３は、レバー本体４１の対向面４２から板厚方向に凹んで奥端部が上下方向に拡幅された拡幅部４４を有した形態をなしており、拡幅部４４にレバー装着部３１の庇部３２が上下方向に係合することで、スライドレバー４０が支持部３０に対して嵌合部２２の嵌合方向と交差する幅方向にスライド可能とされている。
【００３３】
つまり、回動するレバーと異なり、レバーが支持部３０の後方を覆ったり、レバーが支持部３０の後方に配されたりすることがないから、ハウジング２１内に収容される雌端子が接続される電線とスライドレバー４０とが互いに干渉することを防ぐことができる。
【００３４】
一対のレバー本体４１を上下方向に連結した部分は、図１乃至図３に示すように、板状の操作部４５とされており、この操作部４５を幅方向に押圧操作することで、スライドレバー４０が初期位置から嵌合位置へ変位し、操作部４５を押圧方向とは反対側に引っ張ることでスライドレバー４０が嵌合位置から初期位置へ変位するようになっている。
つまり、レバー本体４１および操作部４５は、図１４に示すように、ハウジング２１の支持部３０と共に、フード部６１内に収容されることなくフード部６１の外側に配される構成となっている。
【００３５】
レバー本体４１において操作部４５が設けられた一端部とは反対側の他端部には、図１１乃至図１４に示すように、片持ち状のロック片４６が設けられている。このロック片４６は、上下方向に弾性変位可能とされており、ロック片４６の先端には、図５および図９に示すように、支持部３０の後端部に設けられた初期ロック部３５および嵌合ロック部３６と係止可能なロック爪４７が設けられている。
初期ロック部３５は、支持部３０の幅方向略中央部に設けられており、図５に示すように、ロック片４６のロック爪４７と初期ロック部３５とが幅方向に係止することで、スライドレバー４０が初期位置にロックされるようになっている。
また、嵌合ロック部３６は、スライドレバー４０が装着される一端側とは反対側の他端側に設けられており、図９に示すように、ロック片４６のロック爪４７と嵌合ロック部３６とが幅方向に係止することで、スライドレバー４０が嵌合位置にロックされるようになっている。
【００３６】
各レバー本体４１の前端縁４１Ａには、図３、図８、図１１乃至図１４に示すように、平板状のカム板４８が設けられている。このカム板４８は、レバー本体４１の前端縁４１Ａから前方に延出されており、カム板４８の前端面は、嵌合部２２の厚肉部２４の後端部と前後方向に近接して対向するように設定されている。また、厚肉部２４における短尺用係合溝２８側の後端部には、カム板４８を外側から覆う覆い部２４Ａが設けられており、この覆い部２４Ａがカム板の前端部を外側から覆うことで、カム板４８が上下方向外側に向かって浮き上がることを防いでいる。
【００３７】
各カム板４８の外側の面には、カムピン６５と係合可能なカム溝４９が設けられている。カム溝４９は、カム板４８の板厚方向に凹んだ形態で、カム板４８の前端面から湾曲状に後方に延びて形成されている。また、カム溝４９はカム板４８の前端面に開口しており、この開口からカムピン６５がカム溝４９内に進入可能とされている。そして、スライドレバー４０が初期位置に配されると、図３、図１１および図１２に示すように、カム溝４９が嵌合部２２の通過路２６と連通した状態となり、カムピン６５が通過路２６を通してカム溝４９内に進入可能となる。
【００３８】
また、フード部６１と嵌合部２２とを嵌合させ、カムピン６５がカム溝４９内に通過路２６を通して進入した後、スライドレバー４０を幅方向にスライドさせて初期位置から嵌合位置へ変位させると、図１３に示すように、カムピン６５がカム溝４９に沿って奥部へ移動し、カムピン６５とカム溝４９との係合によるカム作用によってフード部６１と嵌合部２２とが引き寄せられるように嵌合する（図１４参照）。
【００３９】
さて、上下一対のカム板４８は、図３、図８、図１１乃至図１４に示すように、レバー本体４１の前端縁４１Ａにおける幅方向略中央部から操作部４５とは反対側の他端部側にかけて設けられており、スライドレバー４０が初期位置と嵌合位置との間の何れの位置に配置されても、カム板４８のほぼ全体が嵌合部２２の上下両側面に沿って配されるようになっている。
【００４０】
つまり、カム板４８は、スライドレバーが初期位置と嵌合位置との間の何れの位置に配されても、嵌合部２２の上下両側面に沿って配されており、嵌合部２２とフード部６１とを嵌合させる際に、フード部６１とカム板４８とが干渉しないように、ハウジング２１の嵌合部２２と共にフード部６１の嵌合開口からはみ出すことなくフード部６１内に進入するようになっている。
【００４１】
また、カム板４８の幅方向両側縁には、係合リブ６６とカム板４８とが干渉することを防ぐように、カム板４８を幅方向に切り欠いた複数の逃がし部（本実施形態では２つ）５０が設けられている。
複数の逃がし部５０のうち、嵌合部２２とフード部６１とを嵌合させた際に、短尺リブ６７が配される側の側縁に配された逃がし部５０は短尺用逃がし部５１とされ、カム板４８において短尺用逃がし部５１とは反対側の側縁に設けられた逃がし部５０は長尺用逃がし部５２とされている。
【００４２】
短尺用逃がし部５１はカム板４８の基端部に形成されており、短尺用逃がし部５１の奥端はカム溝４９の入口の後方まで幅方向に延びている。そして、スライドレバー４０をスライドさせて嵌合位置に配すると、短尺用係合溝２８を通過した短尺リブ６７が短尺用逃がし部５１内に収容されるようになっている。
長尺用逃がし部５２は、カム板４８の前端部であって、カム溝４９の前方に位置しており、フード部６１と嵌合部２２とが半分程度嵌合されると長尺用逃がし部５２内に長尺リブ６８が進入するようになっている。
【００４３】
言い換えると、カム板４８は、レバー本体４１の前端縁４１Ａの幅方向略中央部から前方に向かうほど操作部４５とは反対側の他端部側に向かって延出された形態となっている。そして、カム板４８の前端部は、スライドレバー４０が初期位置から嵌合位置に変位する際に、嵌合部２２上における短尺リブ６７の移動経路内に進入し、スライドレバー４０が嵌合位置に配されると、短尺リブ６７とカム板４８の前端部とが前後方向に並ぶようになっている。
【００４４】
すなわち、例えば、嵌合部上における短尺リブの移動経路内にカム板が進入しないように短尺リブとカム板とを幅方向に並べて構成しようとするとフード部が幅方向に大型化してしまう嫌いがある。また、フード部の幅方向のサイズを大きくすることなく、短尺リブとカム溝とを並べて配置しようとすると、カム溝の傾斜角度が急になり、嵌合部とフード部との嵌合操作の操作力が増加してしまう嫌いがある。
ところが、本実施形態によると、スライドレバー４０が嵌合位置に至った際に、嵌合部２２上における短尺リブ６７の移動経路にカム溝４９が設けられたカム板４８の前端部が進入するように構成しているから、フード部６１が幅方向に大型化することを防ぎつつ、カム溝４９の傾斜角度を緩やかに設定できるようになっている。
【００４５】
本実施形態のレバー式コネクタ装置１０は、以上のような構成であって、続いて機器側コネクタ６０に電線側コネクタ２０を嵌合させる際の作用効果を説明する。
まず、図１１に示すように、電線側コネクタ２０のスライドレバー４０を初期位置に配置し、スライドレバー４０のロック片４６におけるロック爪４７と支持部３０の初期ロック部３５とを係止させることでスライドレバー４０を初期位置にロックする。
【００４６】
次に、スライドレバー４０が初期位置にロックされた電線側コネクタ２０の嵌合部２２と機器側コネクタ６０のフード部６１とを向かい合わせて配置し、フード部６１内に嵌合部２２を挿入して嵌合させる。
ここで、フード部６１と嵌合部２２との嵌合開始直後から短尺リブ６７が短尺用係合溝２８に進入して嵌合し、図１２に示すように、フード部６１と嵌合部２２とが浅く嵌合すると、カムピン６５が通過路２６内に進入する。そして、フード部６１と嵌合部２２とが半分程度嵌合してカムピン６５が通過路２６内に完全に進入すると長尺リブ６８が嵌合し始める。
【００４７】
さらに、フード部６１と嵌合部２２とを嵌合させると、カムピン６５が通過路２６を完全に通過する直前で短尺リブ６７が短尺用係合溝２８を通過し、図１３に示すように、カム板４８の前端部が支持部３０と共にフード部６１内に進入することで、カムピン６５が通過路２６を通してカム板４８のカム溝４９内に案内される。また、フード部６１と嵌合部２２とが半分程度嵌合されると長尺用逃がし部５２内に長尺リブ６８が進入する。
【００４８】
次に、フード部６１と嵌合部２２とが半分程度嵌合したところで、スライドレバー４０の操作部４５を幅方向に押圧してスライドレバー４０を初期位置から嵌合位置に向かって幅方向にスライドさせる。すると、カムピン６５がカム溝４９に沿って奥部へ移動し、カムピン６５とカム溝４９との係合によるカム作用によってフード部６１と嵌合部２２とが引き寄せられるように嵌合する（図１４を参照）。
【００４９】
ところで、一般にレバー式コネクタ装置では、機器用コネクタにおけるフード部の側面を切り欠いて、この切り欠いた部分をスライドレバーが通過することで、スライドレバーとフード部とが干渉することを防ぐ。
しかしながら、フード部の側面を切り欠くと、切り欠いた部分からフード部内に異物侵入し、フード部内に配された雄端子に異物が付着したり、異物が雄端子と接触することで雄端子が損傷したりする虞がある。また、フード部が切り欠かれることでフード部の剛性が低下する虞がある。
【００５０】
ところが、本実施形態によると、スライドレバー４０において、フード部６１内に収容される上下一対のカム板４８は、レバー本体４１の前端縁４１Ａにおける幅方向略中央部から操作部４５とは反対側の他端部側にかけて設けられており、スライドレバー４０が初期位置と嵌合位置との間の何れの位置に配置されていても、カム板４８のほぼ全体が嵌合部２２の上下両側面に沿って配されるようになっている。
つまり、嵌合部２２とフード部６１とを嵌合させる際に、カム板４８をハウジング２１の嵌合部２２と共にフード部６１の嵌合開口からはみ出させることなくフード部６１内に進入させることができるから、フード部６１を切り欠くことなく、スライドレバー４０をスライドさせて、フード部６１と嵌合部２２とを嵌合させることができる。
すなわち、本実施形態によると、フード部６１に切り欠きを設けていないから、フード部６１の嵌合開口以外の部分から異物がフード部６１内に侵入することを防ぐことができると共に、フード部６１の剛性を向上させることができる。
【００５１】
ところで、本実施形態によると、フード部６１とカム板４８との干渉を防ぐために、カム溝４９とカムピン６５とが係合する位置に対して操作部４５を斜め後方に配置しているため、操作部４５を押圧してスライドレバー４０を幅方向にスライドさせる際に、ハウジング２１およびスライドレバー４０が、カム溝４９とカムピン６５とが係合する位置を中心に回動する方向に変位してフード部６１と嵌合部２２との嵌合操作がスムーズに実施できなくなることが懸念される。
【００５２】
ところが、本実施形態によると、フード部６１と嵌合部２２との嵌合が開始された直後から短尺リブ６７と短尺用係合溝２８とが嵌合し、短尺リブ６７と短尺用係合溝２８との嵌合が解除される前に長尺リブ６８と長尺用係合溝２９とが嵌合する構成となっており、フード部６１と嵌合部２２とが嵌合する過程において、係合リブ６６と係合溝２７とが必ず嵌合している。つまり、例えば、ハウジング２１およびスライドレバー４０が、カム溝４９とカムピン６５とが係合する位置を中心に回動するような正規とは異なる不正な方向に変位しようとした際に、係合リブ６６と係合溝２７とが幅方向に当接して係合することでハウジング２１およびスライドレバー４０が不正な方向に変位することを防ぐことができる。すなわち、フード部６１と嵌合部２２との嵌合操作をスムーズに行うことができる。
【００５３】
そして、最後に、短尺用係合溝２８を通過した短尺リブ６７が短尺用逃がし部５１内に収容され、嵌合部２２上における短尺リブ６７の移動経路内にカム板４８の前端部が進入した状態となってフード部６１と嵌合部２２とが嵌合完了状態に至る。また、フード部６１と嵌合部２２とが嵌合完了状態に至ると、スライドレバー４０のロック片４６におけるロック爪４７と支持部３０の嵌合ロック部３６とが係止し、スライドレバー４０が嵌合位置にロックされることで、機器側コネクタ６０と電線側コネクタ２０とが嵌合状態にロックされる。
【００５４】
以上のように、本実施形態のレバー式コネクタ装置１０によると、一対のカム板４８がレバー本体４１の前端縁４１Ａの幅方向略中央部から前方に向かうほど、支持部３０において操作部４５とは反対側の端部側に向かって延出された形態で、嵌合部２２の上下両側面に沿って配されている。そして、これらのカム板４８が、スライドレバー４０が初期位置から嵌合位置に至る過程で、嵌合部２２と共にフード部６１の嵌合開口からはみ出すことなくフード部６１内に収容される。つまり、フード部６１を切り欠くことなく、スライドレバー４０をスライドさせて、フード部６１と嵌合部２２とを嵌合させることができるから、フード部６１の嵌合開口以外の部分から異物がフード部６１内に侵入することを防ぐことができると共に、フード部６１の剛性を向上させることができる。
【００５５】
また、本実施形態によると、スライドレバー４０が嵌合位置に至った際に、嵌合部２２上における短尺リブ６７の移動経路内にカム溝４９が設けられたカム板４８の前端部が進入するように構成しているから、フード部６１が幅方向に大型化することを防ぎつつ、カム溝４９の傾斜角度が急になることを防ぐことができる。これにより、嵌合部２２とフード部６１との嵌合操作の操作力を低減することができる。
【００５６】
＜他の実施形態＞
本発明は上記記述及び図面によって説明した実施形態に限定されるものではなく、例えば次のような実施形態も本発明の技術的範囲に含まれる。
（１）上記実施形態では、電線側コネクタ２０に雌端子が収容された構成としたが、本発明はこのような態様に限定されるものではなく、例えば、電線側コネクタに雄端子が収容される構成にしてもよい。
（２）上記実施形態では、カムピン６５がフード部６１の幅方向略中央部に設けられた構成としたが、本発明はこのような態様に限定されるものではなく、例えば、カムピンがフード部の短尺リブもしくは長尺リブ寄りに設けられていてもよい。
（３）上記実施形態では、レバー本体４１にロック片４６を設け、支持部３０の後端部に初期ロック部３５と嵌合ロック部３６とを設けた構成としたが、本発明はこのような態様に限定されるものではなく、例えば、支持部のレバー装着部にロック片を設け、レバー本体にロック片と係止する初期ロック部および嵌合ロック部を設けた構成としてもよい。
【符号の説明】
【００５７】
１０：レバー式コネクタ装置
２０：電線側コネクタ（レバー式コネクタ）
２１：ハウジング
２６：通過路
２７：係合溝（係合部）
４０：スライドレバー
４５：操作部
４８：カム板
４９：カム溝
５０：逃がし部
６０：機器側コネクタ（相手側コネクタ）
６１：フード部（相手側ハウジング）
６５：カムピン
６６：係合リブ（被係合部）
６７：短尺リブ（一の被係合部）
【図１】
2015069871.tif 000003
【図２】
2015069871.tif 000004
【図３】
2015069871.tif 000005
【図４】
2015069871.tif 000006
【図５】
2015069871.tif 000007
【図６】
2015069871.tif 000008
【図７】
2015069871.tif 000009
【図８】
2015069871.tif 000010
【図９】
2015069871.tif 000011
【図１０】
2015069871.tif 000012
【図１１】
2015069871.tif 000013
【図１２】
2015069871.tif 000014
【図１３】
2015069871.tif 000015
【図１４】
2015069871.tif 000016